(57)【特許請求の範囲】
【請求項１】
商品をそれぞれ収容する複数の商品収容体と、
前記複数の収容体を束ねる結束部材と、
を備え、
前記各商品収容体は、
少なくとも一部に、少なくとも２対の対向する側壁、及び底壁を有し、前記商品を収容するカップ状に形成された少なくとも１つの収容部と、
前記収容部の開口周縁に連結されるフランジ部と、
前記フランジ部に取り付けられ、前記収容部の開口を塞ぐ平坦状の蓋部と、
を有し、
前記収容部の２対の側壁のうち、一方の一対の側壁の延びる第１方向と、他方の一対の側壁の延びる第２方向とが略直交しており、
前記一方の一対の側壁の第１方向の長さが、前記他方の一対の側壁の第２方向の長さよりも長く形成され、
前記一方の一対の側壁の少なくとも一方の側壁は、前記フランジ部から底壁にいくにしたがって、前記側壁同士が近接するように、少なくとも一部が傾斜した斜壁を構成し、
前記複数の商品収容体のうち、少なくとも一対の隣接する商品収容体同士は、
前記斜壁の少なくとも一部同士が接し、且つ、一方の商品収容体の前記収容部の底壁と他方の商品収容体のフランジ部とが接した状態で配置され、
当該配置状態を保持するように、前記結束部材により、前記複数の商品収容体が結束されている、包装体。
【請求項２】
前記結束された複数の商品収容体のうち、端部に配置されている商品収容体は、前記蓋部が外部を向くように配置されている、請求項１に記載の包装体。
【請求項３】
前記各商品収容体において、
前記フランジ部の前記第１方向の一端部から前記収容部までの長さは、前記フランジ部の第１方向の長さの１／３以下であり、
前記フランジ部の前記第１方向の他端部から前記収容部までの長さは、前記フランジ部の第１方向の長さの１／３以下である、請求項１または２に記載の包装体。
【請求項４】
前記各商品収容体において、
前記フランジ部の前記第１方向の一端部から前記フランジ部の第１方向の長さの１／３以内に位置する前記収容部の少なくとも一部の高さと、
前記フランジ部の前記第１方向の他端部から前記フランジ部の第１方向の長さの１／３以内に位置する前記収容部の少なくとも一部の高さと、
が略同一である、請求項３に記載の包装体。
【請求項５】
前記各商品収容体において、前記収容部は、前記フランジ部の前記第２方向の一方側または他方側のいずれかに偏在して配置されている、請求項１から４のいずれかに記載の包装体。
【請求項６】
底面及び４つの側面を有する直方体状の内壁面を有する収容箱を準備するステップと、
前記収容箱の底面に対し、垂直方向に、請求項１から５のいずれかに記載の複数の包装体を配置するステップと、
前記収容箱の開口を閉じるとともに、前記収容箱を搬送するステップと、
を備えている、商品収容体の運搬方法。
【発明の詳細な説明】
【技術分野】
【０００１】
本発明は、包装体、及び商品収容体の運搬方法に関する。
【背景技術】
【０００２】
従来、商品を、透明の樹脂材料で包装し、そのまま店頭に展示できる商品収容体（いわゆるブリスター容器）が用いられている。このような商品収容体として、例えば、特許文献１には、カップ状に形成された透明樹脂材料の収容部に商品を収容するとともに、この透明樹脂材料を接着剤で台紙の上に貼り付けた商品収容体が開示されている。そして、この商品収容体を運搬する際には、運搬用の収容箱に、商品収容体を一個ずつそのまま収容するか、あるいは中サイズの収容容器に複数個の商品収容体を収容した上で、運搬用の収容容器に収容するという方法がとられていた。
【先行技術文献】
【特許文献】
【０００３】
【特許文献１】特開２００８−１３９０号公報
【発明の概要】
【発明が解決しようとする課題】
【０００４】
しかしながら、前者の場合、特に商品収容体が縦長であると、前記収容箱に収容する際に、商品収容体が倒れてしまったり、商品収容体の収容部が引っかかることで、素早く収容することが困難であった。また、後者の場合、中サイズの収容容器の費用がかかる上、この収容容器に商品収容体を収容する工程が増えるという問題がある。さらに当該収容容器により商品収容体を収容できる数量が少なくなるという問題もあった。本発明は、これらの問題を解決するためになされたものであり、商品収容体を運搬するに当たり、コストを低減でき、且つ運搬に係る作業を容易に行うことができる、包装体、及び商品収容体の運搬方法を提供することを目的とする。
【課題を解決するための手段】
【０００５】
本発明に係る包装体は、商品をそれぞれ収容する複数の商品収容体と、前記複数の収容体を束ねる結束部材と、を備え、前記各商品収容体は、少なくとも一部に、少なくとも２対の対向する側壁、及び底壁を有し、前記商品を収容するカップ状に形成された少なくとも１つの収容部と、前記収容部の開口周縁に連結されるフランジ部と、前記フランジ部に取り付けられ、前記収容部の開口を塞ぐ平坦状の蓋部と、を有し、前記収容部の２対の側壁のうち、一方の一対の側壁の延びる第１方向と、他方の一対の側壁の延びる第２方向とが略直交しており、前記一方の一対の側壁の第１方向の長さが、前記他方の一対の側壁の第２方向の長さよりも長く形成され、前記一方の一対の側壁の少なくとも一方の側壁は、前記フランジ部から底壁にいくにしたがって、前記側壁同士が近接するように、少なくとも一部が傾斜した斜壁を構成し、前記複数の商品収容体のうち、少なくとも一対の隣接する商品収容体同士は、前記斜壁の少なくとも一部同士が接し、且つ、一方の商品収容体の前記収容部の底壁と他方の商品収容体のフランジ部とが接した状態で配置され、当該配置状態を保持するように、前記結束部材により、前記複数の商品収容体が結束されている。
【０００６】
この構成によれば、複数の商品収容体が結束部材で保持されて一体化しているため、例えば、複数の商品収容体を運搬用の収容箱に収容する際、商品収容体がばらばらになるのを防止することができる。その結果、多数の商品収容体を迅速に収容することができる。これにより、商品収容体を複数個ずつまとめて収容するための中サイズの収容容器が不要となり、コストを削減することができる。さらに、結束部材で結束される複数の商品収容体のうち、隣接する商品収容体は、収容部同士が向き合い、収容部の側壁同士が接触するとともに、一方の商品収容体の収容部の底壁が他方の商品収容体のフランジ部に接触するように配置されるため、全体としてコンパクトな形態となる。したがって、中サイズの収容容器を用いる場合と比べ、多くの商品収容体を収容箱に収容することができる。また、隣接する商品収容体同士での接触面積を、前記斜壁により大きくすることができるため、結束状態を安定的に保持することができる。なお、本発明においては、一方の一対の側壁の延びる第１方向と、他方の一対の側壁の延びる第２方向とが略直交しているが、これは、厳密な９０度の角度での交差のみならず、９０度から±１５度程度の範囲の角度での交差も含むことを意味する。
【０００７】
商品収容体は、種々の形態とすることができるが、例えば、自立できないタイプの商品収容体は、前記収容箱に収容する際に、商品収容体が倒れてしまうことを防ぐことができるため、特に、効果的に収容箱に収容することができる。
【０００８】
上記包装体において、前記結束された複数の商品収容体のうち、端部に配置されている商品収容体は、前記蓋部が外部を向くように配置されているものとすることができる。
【０００９】
これにより、包装体の外面が平坦になるため、包装体を収容箱に収容する際に、包装体同士が引っ掛からず、容易に収容することができる。
【００１０】
上記各包装体における前記各商品収容体において、前記フランジ部の前記第１方向の一端部から前記収容部までの長さは、前記フランジ部の第１方向の長さの１／３以下であり、前記フランジ部の前記第１方向の他端部から前記収容部までの長さは、前記フランジ部の第１方向の長さの１／３以下とすることができる。
【００１１】
これにより、各商品収容体における、第１方向の収容部の位置が偏らず、複数の商品収容体を安定的に結束し、保持することができる。これは、第１方向は長手方向であるため、長手方向において収容部の位置が偏ると、結束部材により結束しがたくなるからである。
【００１２】
上記各包装体では、前記各商品収容体において、前記フランジ部の前記第１方向の一端部から前記フランジ部の第１方向の長さの１／３以内に位置する前記収容部の少なくとも一部の高さと、前記フランジ部の前記第１方向の他端部から前記フランジ部の第１方向の長さの１／３以内に位置する前記収容部の少なくとも一部の高さと、を略同一とすることができる。
【００１３】
これにより、隣接する商品収容体は、長手方向である第１方向の両端部付近で、一方の商品収容体の収容部の底壁と、他方の商品収容体のフランジ部とが接触するため、両商品収容体の接触状態を安定させることができる。これにより、結束部材により複数の商品収容体を結束したときに、商品収容体が傾いて結束状態が緩んだり、結束部材が外れるのを防止することができる。
【００１４】
上記各包装体では、前記各商品収容体において、前記収容部を、前記フランジ部の前記第２方向の一方側または他方側のいずれかに偏在して配置させることができる。
【００１５】
この構成により、各商品収容体には、第２方向において、収容部と隣接するフランジ部上に空間が形成される。したがって、この空間に他の商品収容体の収容部を配置すれば、２つの商品収容体を、第２方向に広がらず、コンパクトに配置することができる。
【００１６】
本発明に係る商品収容体の運搬方法は、底面及び４つの側面を有する直方体状の内壁面を有する収容箱を準備するステップと、前記収容箱の底面に対し、垂直方向に、上述したいずれかに記載の複数の包装体を配置するステップと、前記収容箱の開口を閉じるとともに、前記収容箱を搬送するステップと、を備えている。
【発明の効果】
【００１７】
本発明によれば、商品収容体を運搬するに当たり、コストを低減でき、且つ運搬に係る作業を容易に行うことができる。
【図面の簡単な説明】
【００１８】
【図１】本発明の一実施形態に係る商品収容体の斜視図である。
【図２】図１の正面図である。
【図３】図１の側面図である。
【図４】図３のＡ−Ａ線断面図である。
【図５】図１の背面図である。
【図６】歯ブラシの正面図である。
【図７】包装体の作成を説明する図である。
【図８】包装体の作成を説明する図である。
【図９】包装体の作成を説明する図である。
【図１０】包装体の作成を説明する図である。
【図１１】包装体の収容箱への収容を示す図である。
【図１２】包装体の他の例を示す側面図である。
【図１３】包装体の他の例を示す平面図である。
【発明を実施するための形態】
【００１９】
以下、本発明に係る包装体を、歯ブラシが収容された包装体に適用した一実施形態について図面を参照しつつ説明する。図１はこの商品収容体の斜視図、図２は図１の正面図、図３は図１の側面図、図４は図３のＡ−Ａ線断面図、図５は図１の背面図、図６は歯ブラシの正面図である。
【００２０】
本実施形態に係る包装体は、商品として歯ブラシが収容された収容体を複数準備し、これらの収容体を結束部材によって結束したものである。以下では、まず、収容体について説明し、その後、包装体について説明する。
【００２１】
＜１．商品収容体＞
図１〜図５に示すように、本実施形態に係る商品収容体１は、商品としての歯ブラシ２と、この歯ブラシ２を収容する容器３とを備えている。図６に示すように、歯ブラシ２は、棒状の柄２１と、この柄２１の端部に植毛された多数の毛を有するブラシ部２２と、を備えている。柄２１の長手方向の中間部には、柄２１を握ったときに主として親指を配置可能な面を有する配置部２３が形成されている。配置部２３には、凹凸が形成され、これによって親指の滑りを防止している。なお、以下では説明の便宜のため、歯ブラシ２の柄２１の延びる方向を長手方向、長手方向においてブラシ部２２が設けられている側を先端側、それとは反対側を後端側と称することとする。
【００２２】
容器３は、歯ブラシ２が収容されるカップ状の収容部３０と、この収容部３０の開口周縁に形成されたフランジ部３５と、このフランジ部３５に取付けられ、収容部３０の開口を塞ぐシート状の蓋部３６と、を備えている。収容部３０は歯ブラシ２が収容されるため、それに合わせて一方向に延びている。以下では、この方向を歯ブラシ２と同様に長手方向（第１方向）と称するとともに、この長手方向と直交するフランジ部３５の面に沿う方向を幅方向（第２方向）、長手方向及び幅方向に直交する方向を高さ方向と称し、商品収容体１の説明を行う。以下、容器３の各部材について、詳細に説明する。
【００２３】
収容部３０は、透明の樹脂材料などで形成され、４つの部位で構成されている。すなわち、歯ブラシ２のブラシ部２２を収容する第１収容部３１、柄２１において、ブラシ部２２の後端から配置部２３の中間付近までを収容する第２収容部３２、配置部２３の中間付近から柄２１の後端付近までを収容する第３収容部３３、及び柄２１の後端付近から柄２１の後端縁までを収容する第４収容部３４を有している。これら第１〜第４収容部３１〜３４は、この順で長手方向に並び、隣接する収容部間で連通している。したがって、第１〜第４収容部３１〜３４は一体的に連結された、歯ブラシ２を収容する空間を形成している。
【００２４】
第１収容部３１は、ブラシ部２２を収容するように直方体状に形成されている。すなわち、この第１収容部３１は、長手方向に延びる第１側壁３１１及び第２側壁３１２、先端側に配置される第３側壁３１３、後端側に配置される第４側壁３１４、及びこれら４つの側壁を連結する底壁３１５を備えている。このうち、長手方向に沿う第１及び第２側壁３１１，３１２は、互いにフランジ部３５側から底壁３１５側にいくにしたがって、互いに近接するように傾斜した斜壁を形成している。そして、第４側壁３１４には、第２収容部３２が連結されている。
【００２５】
第２収容部３２は、歯ブラシ２の柄２１を収容するものであり、長手方向から見た断面が概ね円弧状に形成されている。そして、第２収容部３２の高さは、柄２１の高さと概ね対応しており、第１収容部３１の高さの１／４〜１／３となっている。そして、第２収容部３２の後端には第３収容部３３が連結されている。
【００２６】
第３収容部３３は、第１収容部３１と同様に直方体状に形成され、長手方向に延びる第１側壁３３１及び第２側壁３３２、先端側に配置される第３側壁３３３、後端側に配置される第４側壁３３４、及びこれら４つの側壁を連結する底壁３３５を備えている。第３収容部３３の高さは、第１収容部３１とほほ同じ高さである。但し、第１収容部３１よりも長手方向の長さが長く形成されている。また、第１側壁３３１及び第２側壁３３２は、互いにフランジ部３５側から底壁３３５側にいくにしたがって、第１収容部３１の斜壁よりはゆるやかではあるが、互いに近接するように傾斜した斜壁を形成している。そして、第３収容部３３の第４側壁３３４には、第４収容部３４が連結されている。
【００２７】
第４収容部３４は、平面視円弧状に形成されており、歯ブラシ２の柄２１の後端付近のうち、第３収容部３３からはみ出した小さい部位を収容するものである。そして、この第４収容部３４は、柄２１の後端付近の外形とほぼ対応した内部空間を有している。このように形成された４つの収容部３１〜３４のうち、第２及び第４収容部３２，３４は、歯ブラシ２の柄２１の外面に合わせた形状となっているため、これらによって、収容部３０の空間の中での歯ブラシ２の移動が規制される。
【００２８】
次に、フランジ部３５について説明する。フランジ部３５は、収容部３０と同じ材料で一体的に形成され、収容部３０の開口周縁から延びる平坦なフランジ本体３５１と、その周縁に形成された周縁部３５２と、で形成されている。フランジ本体３５１は、収容部３０を囲むように全体として長方形状の外形を有している。そして、フランジ本体３５１において、第１収容部３１よりも先端側には、商品収容体１をフックなどに引っ掛けるための切欠き３５３が形成されている。この切欠き３５３は、フランジ部３５の幅方向の一端から中央付近まで延び、そこから長手方向の先端側にわずかに延びるように形成されている。
【００２９】
また、図４に示すように、フランジ部３５に対する収容部３０の位置は、幅方向において右側に偏在しており、第１及び第３収容部３１、３３は、フランジ本体３５１の幅方向の端部（図４の右端部）から、フランジ本体３５１の幅Ｙの概ね２／３の長さの位置に亘って形成されている。一方、フランジ部３５に対する収容部３０の長手方向の位置は、次のようになっている。すなわち、フランジ部３５の長手方向の先端から第１収容部３１までの長さＸ１が、フランジ部３５の長手方向の長さＸ０の概ね１／３以下となっている。同様に、フランジ部３５の長手方向の後端から第４収容部３４までの長さＸ２は、フランジ部３５の長手方向の長さＸ０の概ね１／３以下となっている。
【００３０】
フランジ本体３５１の外周縁には、所定の幅の平坦な周縁部３５２が形成されており、周縁部３５２の外形はフランジ本体３５１と相似形である長方形状に形成されている。また、フランジ本体３５１と周縁部３５２との間には段３５５が形成されており、周縁部３５２は、フランジ本体３５１の周縁から収容部３０とは反対側に突出するように形成されている。そして、この周縁部３５２には、シート状の蓋部３６が接着剤、熱融着などで貼り付けられており、これによって、収容部３０の開口が塞がれる。蓋部３６は、樹脂材料、紙などで、周縁部３５２の外形と同じ矩形状に形成されており、収容部３０と反対側の外部を向く面には、商品説明などの表示が記載されている。また、蓋部３６には、フランジ部３５の切欠き３５３と対応するような切欠き３６１が形成されている。
【００３１】
＜２．包装体＞
次に、上記のよう構成された商品収容体１を組立てて、包装体を作製する方法について、図７及び図８を参照しつつ説明する。まず、２つの商品収容体１を互いに収容部３０同士が向き合うように配置し、一方の商品収容体（以下、説明の便宜上第１商品収容体１Ａという）の第１収容部３１の第２側壁３１２と、他方の商品収容体（以下、説明の便宜上第２商品収容体１Ｂという）の第１収容部３１の第２側壁３１２と、を接触させる（説明の便宜上、図８では第２側壁３１２間にわずかに隙間を形成しているが、実際は接触している）。さらに、第１商品収容体１Ａの第１収容部３１の底壁３１５を、第２商品収容体１Ｂのフランジ部３５に接触させる。このとき、両商品収容体１Ａ，１Ｂの第１収容部３１の高さは同じであるため、第２商品収容体１Ｂの第１収容部３１の底壁３１５も、第１商品収容体１Ａのフランジ部３５に接触する。また、各商品収容体１Ａ，１Ｂの第３収容部３３同士も、同様に接触させる。
【００３２】
各商品収容体１Ａ，１Ｂにおいては、図４に示すように、収容部３０がフランジ部の幅の概ね２／３程度の幅を有し、且つフランジ部３５の幅方向の一端部側に配置されているため、フランジ部３５の幅方向の他端部側には空間が形成される。そのため、図８に示すように、この空間に他の商品収容体の収容部３０を配置すれば、２つの商品収容体１Ａ，１Ｂは、コンパクトな形態となる。この形態では、両商品収容体１Ａ，１Ｂの収容部３０同士が向き合い（幅方向に接触）、蓋部３６は互いに反対方向の外側を向くように配置される。以下、このように配置された２つの商品収容体１Ａ，１Ｂを収容体対１０と称することとする。
【００３３】
続いて、上記のような収容体対１０を所望の数だけ作成し、図９及び図１０に示すように、蓋部３６同士が接触するように配置する。図９及び図１０は、３つの収容体対１０を接触させたものである。そして、最後のこの接触状態を保持するように、３つの収容体対１０の長手方向の中間付近に、帯状に結束部材５を巻き付ける。このとき、結束状態を安定させるには、第３収容部３３が配置された位置に結束部材５を巻き付けることが好ましい。これは、第３収容部３３は、商品収容体１の長手方向の中間付近に配置され、且つ第３収容部３３の底壁３３５が他の商品収容体のフランジ部３５に接触することで、接触状態が安定しているからである。こうして、３つの収容体対１０が固定され、包装体１００が完成する。なお、結束部材５は、紙、布、樹脂材料など種々の材料で構成することができる。
【００３４】
こうして、形成された包装体は、例えば、図１１に示すような直方体状の収容箱６に収容し、運搬することができる。すなわち、収容箱６の底に、第４収容部３４側を下にして複数の包装体１００を配列する。こうして、収容箱６がいっぱいになるまで、包装体１００を配列する。最後に、収容箱６の蓋を閉じ、搬送する。
＜３．特徴＞
以上のように、本実施形態によれば、複数の商品収容体１が結束部材５で保持され、一体化しているため、例えば、複数の商品収容体１を収容箱６に収容する際、商品収容体１がばらばらになるのを防止することができる。その結果、多数の商品収容体１を迅速に収容することができる。これにより、商品収容体１を複数個ずつまとめて収容するための中サイズの収容容器が不要となり、コストを削減することができる。さらに、結束部材５で結束される複数の商品収容体１のうち、隣接する各商品収容体１Ａ，１Ｂは、収容部３０同士が向き合い、且つ第１、第３収容部３１，３３の側壁同士が接触するように配置されるため、全体としてコンパクトな形態となる。したがって、中サイズの収容容器を用いる場合と比べ、多くの商品収容体１を収容箱６に収容することができる。特に、第１収容部３１の側壁のうち、斜壁を構成する側壁３１２同士を接触させるため、接触面積を大きくすることができる。さらに、一方の商品収容体１Ａの収容部３１，３３の底壁３１５，３３５が他方の商品収容体１Ｂのフランジ部３５に接触するため、隣接する２つの商品収容体１Ａ，１Ｂ同士の接触面積を増やすことができ、隣接する両商品収容体１Ａ，１Ｂを安定的に保持することができる。
【００３５】
上記包装体１００では、各商品収容体１において、収容部３０を、フランジ部３５の幅方向の一方側に偏在させているため、各商品収容体１Ａ，１Ｂには、幅方向において、収容部３０と隣接するフランジ部３５上に空間が形成される。したがって、この空間に他の商品収容体の収容部３０を配置できるため、２つの商品収容体１Ａ，１Ｂが幅方向に広がらず、コンパクトに配置することができる。
【００３６】
＜５．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３７】
＜５−１＞
上記実施形態では、各商品収容体１において、形状の異なる複数の収容部３１〜３４を一体化して設けているが、収容部３０の形態は、これに限定されない。すなわち、収容部３０は、少なくとも一部が、少なくとも２対の対向する側壁、及び底壁を有し、商品を収容するカップ状に形成されていればよく、隣接する商品収容体１において、一方の商品収容体１の収容部３０の底壁と他方の商品収容体のフランジ部３５とが接した状態となればよい。また、いずれかの収容部３０の一部に斜壁が形成され、この斜壁同士が接触するように構成されていればよい。したがって、例えば、第１側壁３１１と第２側壁３１２のいずれか一方のみを斜壁とすることもできる。そして、これ以外の形態については、適宜変更可能であり、収容部３０の形状、位置、数などを必要に応じて変更することができる。したがって、上記実施形態のように、厳密な側壁及び底壁を有さない第２及び第４収容部３２，３４のような収容部を一部に含んでいてもよい。また、例えば、収容部３０の位置は、幅方向に必ずしも偏在させなくてもよい。
【００３８】
また、収容部３０の少なくとも一部は、少なくとも２対の対向する側壁、及び底壁を有し、商品２を収容するカップ状に形成されているが、側壁及び底壁は、必ずしも平坦でなくてもよく、多少であれば湾曲していてもよい。また、側壁同士または底壁と側壁との境界は、必ずしも厳密な直線で表されていなくてもよく、曲面状の境界であっても、側壁や底壁が認識できればよい。
【００３９】
＜５−２＞
結束される商品収容体１の数は特には限定されず、所望の数にすることもできる。このとき、必ずしも、端部に配置される商品収容体１の蓋部３６が外部を向かなくてもよい。すなわち、例えば、図１２に示すように、少なくとも１つの収容体対１０を設け、この収容体対１０に１つの商品収容体１を接触させた上で、結束部材５で結束することもできる。すなわち、収容体対１０に取り付けられた１つの商品収容体１は、収容部３０側が外部を向く。このとき、結束部材５は、外部に向く収容部３０のうち、例えば、第３収容部３３が設けられた位置に巻き付けることができる。ただし、収容箱６への収容時に、外部を向いた収容部３０が、他の包装体１００に引っ掛かりにくく、また、当該収容部３０が、他の包装体１００と接触して凹みなどが生じることを防ぐこともできるという観点から、前記結束された複数の商品収容体１のうち、端部に配置されている商品収容体１は、前記蓋部３６が外部を向くように配置されていることが好ましい。
【００４０】
＜５−３＞
また、商品収容体１の結束方法は特には限定されず、例えば、図１３に示すように、収容体対１０を幅方向に並べた上で、結束部材５により結束することもできる。
【００４１】
＜５−４＞
結束部材５についても特には限定されず、帯状、紐状など、複数の収容体対１０に巻き付けてこれらを保持できるものであれば、材質も含め、特には限定されないが、安定的に商品収容体１を結束させることができるという観点から、紙製のものが好ましく、特に、収容部がブリスターである場合、ブリスターに凹みなどが生じにくいという観点からも、紙製の結束部材５が好ましい。例えば、複数の結束部材５を用いることもできる。
【００４２】
＜５−５＞
フランジ部３５の形態も特には限定されない。上記実施形態では、フランジ部３５をフランジ本体３５１と周縁部３５２とで構成したが、一の平坦面で構成することもでき、そのすべてまたは一部に蓋部３６を取り付けることができればよい。また、フランジ部３５の形状も、長方形に限定されず、商品に適応した形状であればよい。収容部３０、フランジ部３５を形成する材料は特には限定されず、種々の材料で形成することができ、また、透明以外の半透明であったり、または着色されていてもよい。但し、透明、半透明であれば、内部の商品が視認できるため、好ましい。
【００４３】
＜５−６＞
上記実施形態では、商品として歯ブラシ２を例としたが、これに限定されず、一方向に延びる長尺状の商品であれば、本発明に係る包装体に適用することができる。
【符号の説明】
【００４４】
１  商品収容体
２  歯ブラシ
３０  収容部
３５  フランジ部
５  結束部材
６  収容箱
【図１】
0006637348.tif 000002
【図２】
0006637348.tif 000003
【図３】
0006637348.tif 000004
【図４】
0006637348.tif 000005
【図５】
0006637348.tif 000006
【図６】
0006637348.tif 000007
【図７】
0006637348.tif 000008
【図８】
0006637348.tif 000009
【図９】
0006637348.tif 000010
【図１０】
0006637348.tif 000011
【図１１】
0006637348.tif 000012
【図１２】
0006637348.tif 000013
【図１３】
0006637348.tif 000014